(57)【要約】  本発明は、放送連動型サービスの提供方法に関する。本発明によれば、デジタル放送番組の再生中に発生したイベントに対応するＰＲＥ情報をアプリケーション実行中の受信機に伝送し、アプリケーションはＰＲＥ情報と関連した付加情報を受信し表示し、デジタル放送番組と連動するサービスを提供することができる。【選択図】図２
2015517252.tif 000002
【特許請求の範囲】
【請求項１】
デジタル放送システムで実施される連動型サービスの提供方法において、（ａ）デジタル放送番組を受信する段階、（ｂ）前記デジタル放送番組と連動するアプリケーションを実行する段階、（ｃ）前記デジタル放送番組の再生中に発生したイベントに対応するＰＲＥ（ｐｒｏｇｒａｍ ｒｕｎｔｉｍｅ ｅｖｅｎｔ）情報を、前記アプリケーション実行中の受信機に伝送する段階、（ｄ）前記アプリケーションが前記ＰＲＥ情報を分析し、前記ＰＲＥ情報と関連した付加情報を受信する段階、（ｅ）前記アプリケーションが前記付加情報を処理し表示する段階、を有することを特徴とする連動型サービスの提供方法。
【請求項２】
前記ＰＲＥ情報はメタデータを含むことを特徴とする、請求項１に記載の連動型サービスの提供方法。
【請求項３】
前記（ｄ）段階は、（ｄ−１）前記アプリケーションが前記メタデータを用いて前記付加情報を検索する段階、（ｄ−２）前記（ｄ−１）段階で検索された前記付加情報を受信する段階、を有することを特徴とする、請求項２に記載の連動型サービスの提供方法。
【請求項４】
前記ＰＲＥ情報は前記付加情報を示す時間情報を含むことを特徴とする、請求項１に記載の連動型サービスの提供方法。
【請求項５】
前記ＰＲＥ情報は前記付加情報に対応するＵＲＬ情報を含むことを特徴とする、請求項１に記載の連動型サービスの提供方法。
【請求項６】
前記（ｃ）段階は、前記ＰＲＥ情報を、通信網を通じて前記受信機に伝送する段階を有することを特徴とする、請求項１に記載の連動型サービスの提供方法。
【請求項７】
前記（ｃ）段階は、前記ＰＲＥ情報を、放送網を通じて前記受信機に伝送する段階を有することを特徴とする、請求項１に記載の連動型サービスの提供方法。
【請求項８】
前記（ｄ）段階は、前記アプリケーションが通信網を通じて前記付加情報を受信する段階を有することを特徴とする、請求項１に記載の連動型サービスの提供方法。
【請求項９】
前記付加情報は、第１の付加情報及び第２の付加情報を含み、前記（ｄ）段階は、（ｄ−１）前記アプリケーションが放送網を通じて前記第１の付加情報を受信する段階、（ｄ−２）前記アプリケーションが通信網を通じて前記第２の付加情報を受信する段階、を有することを特徴とする、請求項１に記載の連動型サービスの提供方法。
【請求項１０】
前記（ｅ）段階は、前記アプリケーションが前記第１の付加情報及び前記第２の付加情報のうち少なくとも一つを示す段階を有することを特徴とする、請求項９に記載の連動型サービスの提供方法。
【請求項１１】
前記アプリケーションが前記（ｄ）段階で受信した前記付加情報を保存する段階をさらに有することを特徴とする、請求項１に記載の連動型サービスの提供方法。
【請求項１２】
前記（ｂ）段階は、通信網を通じて前記アプリケーションを受信して実行する段階を有することを特徴とする、請求項１に記載の連動型サービスの提供方法。
【発明の詳細な説明】
【技術分野】
【０００１】
本発明は、放送連動型サービスの提供方法に関するものであり、具体的には、デジタル放送番組の再生中に発生したイベントに対応するＰＲＥ情報を、アプリケーション実行中の受信機に伝送し、アプリケーションはＰＲＥ情報と関連した付加情報を受信し表示し、デジタル放送番組と連動するサービスを提供することができる放送連動型サービスの提供方法に関するものである。
【背景技術】
【０００２】
放送連動型サービスは、放送番組と連係している付加情報を放送画面の一部に表示し提供するサービスである。従来の放送連動型サービスは、付加情報を含むアプリケーションをカルーセル（ｃａｒｏｕｓｅｌ）形態で放送信号に内蔵し、放送網を通じて（ｉｎ−ｂａｎｄ方式）受信機に伝送する。
【０００３】
従来の放送連動型サービスに係るアプリケーションは、アプリケーション内に当該放送番組と連動する付加情報を含んでいる。例えば、映画番組の場合、アプリケーションは映画番組の特定の時点で主人公が着用している服、或いは服飾品に関する情報などを含んでいる。
【０００４】
しかし、アプリケーションが付加情報を含むことでアプリケーションのサイズが大きくなり、アプリケーションをインバンド方式で伝送する際に時間が掛り過ぎてしまうという問題点がある。
【０００５】
また、従来の連動型サービスに係るアプリケーションは、生放送番組と連動する付加情報の提供が難しいという問題点がある。付加情報が含まれたアプリケーションをインバンド方式で伝送する際に時間の遅れが発生するため、生放送番組で適時に付加情報を提供することが困難である。
【０００６】
プロ野球の中継放送で例えると、現在打席に入った打者と投手の対戦成績情報は、プレイ前に予知が不可能なため、リアルタイムで提供することが困難である。
【発明の概要】
【発明が解決しようとする課題】
【０００７】
上述した問題点を解決するため、本発明はデジタル放送番組の再生中に発生したイベントに対応するＰＲＥ情報を、アプリケーション実行中の受信機に伝送し、アプリケーションはＰＲＥ情報と関連した付加情報を受信し表示し、デジタル放送番組と連動するサービスを提供することができる放送連動型サービスの提供方法を提供することをその目的とする。
【課題を解決するための手段】
【０００８】
上述した目的を達成するために、本発明に係る放送連動型サービスの提供方法は、デジタル放送システムで行われる連動型サービスの提供方法において、（ａ）デジタル放送番組を受信する段階、（ｂ）前記デジタル放送番組と関連したアプリケーションを実行する段階、（ｃ）前記デジタル放送番組の再生中に発生したイベントに対応したＰＲＥ（ｐｒｏｇｒａｍ ｒｕｎｔｉｍｅ ｅｖｅｎｔ）情報を前記アプリケーション実行中の受信機に伝送する段階、（ｄ）前記アプリケーションが前記ＰＲＥ情報を分析し、前記ＰＲＥ情報と関連した付加情報を受信する段階、（ｅ）前記アプリケーションが前記付加情報を処理し表示する段階、を有することを特徴とする。
【０００９】
前記ＰＲＥ情報は、メタデータを含むことができる。
【００１０】
前記（ｄ）段階は、（ｄ−１）前記アプリケーションが前記メタデータを用いて前記付加情報を検索する段階、（ｄ−２）前記（ｄ−１）段階で検索された前記付加情報を受信する段階、を有することができる。
【００１１】
前記ＰＲＥ情報は、前記付加情報を表示する時間情報を含むことができる。
【００１２】
前記ＰＲＥ情報は、前記付加情報に対応するＵＲＬ情報を含むことができる。
【００１３】
前記（ｃ）段階は、前記ＰＲＥ情報を、通信網を通じて前記受信機に伝送する段階を有することができる。
【００１４】
前記（ｃ）段階は、前記ＰＲＥ情報を、放送網を通じて前記受信機に伝送する段階を有することができる。
【００１５】
前記（ｄ）段階は、前記アプリケーションが通信網を通じて前記付加情報を受信する段階を有することができる。
【００１６】
前記付加情報は第１の付加情報及び第２の付加情報を含み、前記（ｄ）段階は、（ｄ−１）前記アプリケーションが放送網を通じて前記第１の付加情報を受信する段階、（ｄ−２）前記アプリケーションが通信網を通じて前記第２の付加情報を受信する段階、を有することができる。
【００１７】
前記（ｅ）段階は、前記アプリケーションが前記第１の付加情報及び第２の付加情報のうち少なくとも一つを表示する段階を有することができる。
【００１８】
本発明に係る連動型サービスの提供方法は、前記アプリケーションが前記（ｄ）段階で受信した前記付加情報を保存する段階をさらに有することができる。
【００１９】
前記（ｂ）段階は、通信網を通じて前記アプリケーションを受信して実行する段階を有することができる。
【発明の効果】
【００２０】
本発明に係る放送連動型サービスの提供方法は、比較的容量の大きい付加情報を提供することができる利点がある。
【００２１】
従来の放送連動型サービスは、付加情報が含まれたアプリケーションをインバンド方式で伝送するため、付加情報のサイズに制約が多々存在していた。しかし、本発明に係る放送連動型サービスの提供方法は、通信網を通じてＰＲＥ情報と関連した付加情報を別途受信して表示することができるため、比較的容量の大きい付加情報を提供することができる。
【００２２】
また、本発明に係る放送連動型サービスの提供方法は、生放送番組と連動するダイナミックな付加情報を提供することができる。アプリケーションが予め用意された付加情報を含み提供するのではなく、リアルタイムでＰＲＥ情報と関連した付加情報を受信し提供することにより、生放送番組と連動するダイナミックな付加情報を提供することができる。
【図面の簡単な説明】
【００２３】
【図１】本発明に係る連動型サービスの提供方法が実施されるデジタル放送システムを示すブロック図である。
【図２】本発明に係る放送連動型サービスの提供方法を示すフローチャートである。
【図３】本発明に係る放送連動型サービスの提供方法において、Ｓ３００段階及びＳ４００段階の一例を示すフローチャートである。
【図４】本発明に係る放送連動型サービスの提供方法において、Ｓ４００段階及びＳ５００段階の一例を示すフローチャートである。
【発明を実施するための形態】
【００２４】
以下、添付した図面を参照し、本発明に係る放送連動型サービスの提供方法の望ましい実施例を具体的に説明する。
【００２５】
図１は、本発明に係る連動型サービスの提供方法が実施されるデジタル放送システムを図示したブロック図である。
【００２６】
図１を参照すると、本発明に係るデジタル放送システムは、受信機１００、放送システム２００、アプリケーション提供装置３００、及びバックエンド装置４００を有する。
【００２７】
受信機１００は、放送網または通信網を通じて放送システム２００からデジタル放送番組を受信する。また、受信機１００は受信したデジタル放送番組と関連したアプリケーションを実行する。
【００２８】
デジタル放送番組と関連したアプリケーションは、デジタル放送番組と連動して行われるアプリケーションである。例えば、アプリケーションがプロ野球の中継放送と連動する場合、アプリケーションは現在打席に入った打者及び投手に関する情報を提供することができる。また、アプリケーションは、特定の番組だけでなく、特定のチャンネルとも連動して提供される。
【００２９】
受信機１００は外部装置との通信連携（通信網）を通じてアプリケーションを受信することができる。受信機１００が通信網を通じてアプリケーションを受信する場合、放送網より早くアプリケーションを受信できる利点がある。具体的には、アプリケーション提供装置３００は受信機１００の要求を受けて、通信網を通じて受信機１００にアプリケーションを伝送することができる。
【００３０】
放送システム２００は、デジタル放送信号を受信機１００に伝送する。放送システム２００は、地上デジタル放送事業者、デジタル・ケーブルテレビ事業者、ＩＰＴＶ事業者などによって運営される。
【００３１】
アプリケーション提供装置３００は、多数のアプリケーションを保存し、受信機１００にアプリケーションを伝送する。受信機１００が多数のアプリケーションのうち、特定のアプリケーションを要求すれば、アプリケーション提供装置３００は当該アプリケーションを受信機１００に伝送する。望ましくは、アプリケーション提供装置３００は、デジタル放送事業者、或いは受信機１００の製造会社によって運営されるが、その他にもプラットホーム事業者など、他の主体によって運営されることもある。
【００３２】
バックエンド装置４００は、アプリケーションの実行にさらに必要な情報（例えば、付加情報）を提供する。従来の連動型サービスの提供方法によれば、付加情報がアプリケーションに含まれてインバンド方式で伝送されるが、本発明の場合、別途具備されているバックエンド装置４００が付加情報を提供することができる。バックエンド装置４００は、デジタル放送番組と連動する付加情報、ＰＲＥ情報、拡張ＥＰＧ（ｅｌｅｃｔｒｏｎｉｃ ｐｒｏｇｒａｍ ｇｕｉｄｅ）情報、さらにＣＣ（ｃｌｏｓｅｄ ｃａｐｔｉｏｎ）情報などを保存して受信機１００に伝送することができる。拡張ＥＰＧ情報は、放送チャンネル、番組に関する情報であり、従来のＥＰＧ情報より詳細な情報を含む。
【００３３】
図２は、本発明に係る放送連動型サービスの提供方法を示すフローチャートである。
【００３４】
図２を参照すると、先ずデジタル放送番組を受信する（Ｓ１００）。
【００３５】
具体的には、受信機１００が放送システム２００から放送網または通信網を通じてデジタル放送番組を受信する。
【００３６】
デジタル放送番組は、地上デジタル放送、デジタル・ケーブルテレビ、デジタル衛星放送、ＯＴＴ（ｏｖｅｒ ｔｈｅ ｔｏｐ）サービス、またはＩＰＴＶ（Ｉｎｔｅｒｎｅｔ ｐｒｏｔｏｃｏｌ ｔｅｌｅｖｉｓｉｏｎ）サービスを営む事業者によって提供される。
【００３７】
次に、Ｓ１００段階で受信したデジタル放送番組と連動するアプリケーションを実行する（Ｓ２００）。
【００３８】
例えば、受信機１００が、提供中のチャンネルでプロ野球の中継放送が始まったら、プロ野球の中継放送番組と連動するアプリケーションを実行する。
【００３９】
また、番組だけでなくチャンネルと連動してアプリケーションを実行することができる。
【００４０】
例えば、テレビショッピングのチャンネルと連動するアプリケーションの場合、使用者がテレビショッピングのチャンネルにチャンネルを変更すれば、当該アプリケーションが実行される。
【００４１】
次に、デジタル放送番組の再生中に発生したイベントに対応するＰＲＥ（ｐｒｏｇｒａｍ ｒｕｎｔｉｍｅ ｅｖｅｎｔ）情報をアプリケーション実行中の受信機１００に伝送する（Ｓ３００）。
【００４２】
イベントは再生中のデジタル放送番組において、付加情報の提供を要する事例が発生したことを示す。
【００４３】
例えば、プロ野球の中継放送番組が提供される場合、打者及び投手交代などのイベントが発生する可能性がある。
【００４４】
デジタル放送番組の再生中にイベントが発生すれば、発生したイベントに対応するＰＲＥ情報がアプリケーション実行中の受信機に伝送される。
【００４５】
ＰＲＥ情報は発生したイベントに対応して、デジタル放送番組と連動する付加情報を提供するためのものである。
【００４６】
例えば、プロ野球の中継放送番組の再生中に打者交代のイベントが発生した場合、放送システム２００は交代した打者に関する情報を含むＰＲＥ情報を伝送することができる。交代した打者に関する情報を取得すれば、投手との対戦成績などの付加情報をリアルタイムで提供することができる。
【００４７】
図３は、本発明に係る放送連動型サービスの提供方法において、ＰＲＥ情報がメタデータを含む場合を示すフローチャートである。
【００４８】
図３を参照すると、メタデータ（ｍｅｔａｄａｔａ）を含むＰＲＥ情報がアプリケーション実行中の受信機に伝送される（Ｓ３２０）。
【００４９】
メタデータは、デジタル放送番組と連動する付加情報に関するデータである。具体的には、メタデータは付加情報を検索するためのインデックスの役割を担い、付加情報の表示方法に関する情報を含む。アプリケーションはメタデータを用いて受信機１００、または外部装置に保存された付加情報のうち、ＰＲＥ情報と関連した付加情報を検索することができる（Ｓ４２０）。
【００５０】
また、ＰＲＥ情報は付加情報に対応するＵＲＬ（ｕｎｉｆｏｒｍ ｒｅｓｏｕｒｃｅ ｌｏｃａｔｏｒ）情報を含むことができる。
【００５１】
ＵＲＬ情報は付加情報が保存された位置を示す情報である。例えば、外部装置に保存された付加情報が必要な場合、アプリケーションはＵＲＬを用いて付加情報を取得することができる。この場合、付加情報を検索する必要がないという利点があるが、事業者が指定した付加情報だけが表示されるという短所も存在する。
【００５２】
また、ＰＲＥ情報は付加情報を表示する時間情報を含むことができる。具体的には、時間情報は付加情報が表示される正確な時刻、或いは付加情報が表示される時間の範囲を含むことができる。アプリケーションは、ＰＲＥ情報に含まれた時間情報を用いて正確な時刻、或いは時間の範囲に付加情報が表示されるようになっている。
【００５３】
また、生放送番組でない場合（例えば、映画番組）、時間情報を事前に受信して保存することができる。
【００５４】
受信機１００は、外部装置との通信連携を通じてＰＲＥ情報を受信することができる。通信網を通じてＰＲＥ情報を受信することで、放送網で信号変換により発生する時間の遅れを防ぐことができる。
【００５５】
映画のようにリアルタイム性が要求されない放送番組の場合、受信機１００は通信網だけでなく放送網を通じてもＰＲＥ情報を受信することができる。この場合、放送網は通信網より伝送速度が遅いため、予めＰＲＥ情報を受信することが望ましい。
【００５６】
再度、図２を参照すると、アプリケーションがＰＲＥ情報を分析してＰＲＥ情報と関連した付加情報を受信する（Ｓ４００）。
【００５７】
ＰＲＥ情報はデジタル放送番組と連動する付加情報を提供するための情報であるため、ＰＲＥ情報を分析してＰＲＥ情報と関連した付加情報を受信することができる。具体的には、アプリケーションがＰＲＥ情報を受信することで、ＰＲＥ情報に対応するイベントが発生し、ＰＲＥ情報に含まれるメタデータなどを用いて付加情報を受信することができる。
【００５８】
例えば、プロ野球の中継放送中に打者が交代となった場合、ＰＲＥ情報は交代した打者と現投手に関する情報を含むことができる。アプリケーションはＰＲＥ情報に含まれた打者と投手に関する情報を用いて、打者の通算打率、及び現投手との対戦成績などの付加情報を受信することができる。
【００５９】
また、Ｓ４００段階でアプリケーションは通信網を通じて付加情報を受信することができる。
【００６０】
放送連動型サービスは、付加情報をリアルタイムで提供することが重要であり、放送網では迅速な付加情報の提供は困難である。また、大容量の付加情報を放送網で提供するには時間が掛かり過ぎる。
【００６１】
本発明に係る連動型サービスの提供方法は、アプリケーションが通信網を通じて付加情報を受信することによって、大容量の付加情報を迅速に受信することができる。
【００６２】
図４は、本発明に係る放送連動型サービスの提供方法のＳ４００段階及びＳ５００段階の一例を示すフローチャートである。
【００６３】
図４を参照すると、アプリケーションは放送網を通じて第１の付加情報を受信し（Ｓ４６０）、通信網を通じて第２の付加情報を受信することができる（Ｓ４８０）。アプリケーションが多様な種類の付加情報を必要とする場合、アプリケーションは付加情報のサイズ、及びリアルタイム性の要否などによって、放送網または通信網を通じて付加情報を受信することができる。
【００６４】
例えば、プロ野球の中継番組の場合、両チームのシーズン対戦成績、先発投手のシーズン成績などは、プレイ開始前に事前に知ることができる。一方、プロ野球中継が始まってからは、いつ、どの打者が出てくるのか、投手及び打者の交代などに関する情報は、リアルタイムで提供されることが求められる。
【００６５】
従って、予知可能な情報は放送網を通じて第１の付加情報として受信し、リアルタイム性が求められる情報は通信網を通じて第２の付加情報として受信することができる。
【００６６】
また、アプリケーションは放送番組の場面を基に分割された付加情報を受信することができる。特に、付加情報のサイズが大きい場合、アプリケーションは場面を基に分割された付加情報を受信することによって、伝送時間及びリソースへの制限を緩和することができる。
【００６７】
再度、図２を参照すると、アプリケーションが付加情報を処理して表示する（Ｓ５００）。
【００６８】
Ｓ４００段階で付加情報を受信したアプリケーションは、付加情報を画面に表示して使用者に付加情報を提供する。また、ＰＲＥ情報が時間情報を含む場合、アプリケーションは時間情報によって付加情報を表示することができる。
【００６９】
図４を参照すると、Ｓ４６０及びＳ４８０段階でアプリケーションが第１の付加情報及び第２の付加情報を受信した場合、アプリケーションは第１の付加情報及び第２の付加情報のうち少なくとも一つを表示することができる（Ｓ５２０）。
【００７０】
例えば、プロ野球の中継番組の場合、事前に知ることができる両チームの対戦成績などの情報は第１の付加情報としてゲーム開始前または開始と同時に表示することができる。プロ野球ゲームが行われてリアルタイムで決まる現打者と投手の対戦成績などの情報は、第２の付加情報としてゲームの進行に合わせて表示することができる。
【００７１】
アプリケーションは、Ｓ４００段階で受信した付加情報を保存することができる（Ｓ６００）。
【００７２】
アプリケーションは以後、保存された付加情報が必要な時に迅速に付加情報を提供することができる。例えば、予め用意された付加情報が提供される映画の場合、アプリケーションは１回目以降、映画を提供する際、迅速に付加情報を提供することができる。
【００７３】
以上、本発明の実施例を具体的に説明したが、これは単に本発明を例示的に説明したものに過ぎず、本発明が属する技術分野において通常の知識を持つ者であれば、本発明の本質的な特性から逸しない範囲内で多様な変形が可能である。
【００７４】
従って、本明細書に開示した実施例は、本発明を限定するものではなく説明するものであって、これらの実施例により本発明の思想と範囲が限定される訳ではない。本発明の範囲は、以下の請求範囲によって解釈されるべきであって、それらと同等な範囲内にある全技術は、本発明の権利範囲に含まれると解釈されるべきである。
【産業上の利用可能性】
【００７５】
本発明に係る放送連動型サービスの提供方法は、比較的容量の大きい付加情報を提供することができる利点がある。
【００７６】
従来の放送連動型サービスは、付加情報が含まれたアプリケーションをインバンド方式で伝送するため、付加情報のサイズに制約が多々存在していた。しかし、本発明に係る放送連動型サービスの提供方法は、通信網を通じてＰＲＥ情報と関連した付加情報を別途受信して表示することが出来るため、比較的容量の大きい付加情報を提供することができる。
【００７７】
また、本発明に係る放送連動型サービスの提供方法は、生放送番組と連動するダイナミックな付加情報を提供することができる。アプリケーションが予め用意された付加情報を含み提供するのではなく、リアルタイムでＰＲＥ情報と関連した付加情報を受信し提供することによって、生放送番組と連動するダイナミックな付加情報を提供することができる。
【符号の説明】
【００７８】
１００：受信機
２００：放送システム
３００：アプリケーション提供装置
４００：バックエンド装置
【図１】
2015517252.tif 000003
【図２】
2015517252.tif 000004
【図３】
2015517252.tif 000005
【図４】
2015517252.tif 000006
【国際調査報告】
2015517252.tif 000007
2015517252.tif 000008
2015517252.tif 000009
2015517252.tif 000010